(57)【特許請求の範囲】
【請求項１】
少なくとも１つの在圏セルを含む在圏セル集合の、基地局による設定を受信することと、
上記在圏セル集合における各在圏セルに対応する第１在圏セルであって、上記在圏セル集合のうちの在圏セルである第１在圏セルの、上記基地局による設定を受信することと、
上記在圏セル集合における各在圏セルに対応する第２在圏セルであって、上記在圏セル集合のうちの在圏セルである第２在圏セルの、上記基地局による設定を受信することと、
上記在圏セル集合のうち自ユーザ機器との上りデータ伝送と下りデータ伝送が行われる在圏セルである第３在圏セルに対応する第１在圏セルにおいて、上記第３在圏セルと自ユーザ機器との下りデータ伝送をスケジューリングするための下りスケジューリング情報が携帯されている第１物理下り制御チャネルを受信することと、
上記第３在圏セルに対応する第２在圏セルにおいて、上記第３在圏セルと自ユーザ機器との上りデータ伝送をスケジューリングするための上りスケジューリング情報が携帯されている第２物理下り制御チャネルを受信することと
を含み、
上記在圏セル集合における同一在圏セルに対応する第１在圏セルと第２在圏セルとは異なる在圏セルであることを特徴とするデータチャネルのスケジューリング方法。
【請求項２】
上記在圏セル集合における各在圏セルに対応する第１在圏セルは、上記在圏セル集合における当該各在圏セル自体であることを特徴とする請求項１に記載のデータチャネルのスケジューリング方法。
【請求項３】
上記在圏セル集合における各在圏セルに対応する第１在圏セルは、上記在圏セル集合における当該各在圏セル自体以外の在圏セルであることを特徴とする請求項１に記載のデータチャネルのスケジューリング方法。
【請求項４】
上記在圏セル集合における各在圏セルに対応する第１在圏セルは、アンライセンス周波数帯域で動作する在圏セルであることを特徴とする請求項２に記載のデータチャネルのスケジューリング方法。
【請求項５】
上記在圏セル集合における各在圏セルに対応する第２在圏セルは、上記在圏セル集合における当該各在圏セル自体以外の在圏セルであることを特徴とする請求項１に記載のデータチャネルのスケジューリング方法。
【請求項６】
上記在圏セル集合における各在圏セルに対応する第２在圏セルは、上記在圏セル集合における当該各在圏セル自体であることを特徴とする請求項１に記載のデータチャネルのスケジューリング方法。
【請求項７】
上記在圏セル集合における各在圏セルに対応する第２在圏セルは、ライセンス周波数帯域で動作する在圏セルであることを特徴とする請求項５に記載のデータチャネルのスケジューリング方法。
【請求項８】
在圏セル集合の上記基地局による設定を受信することは、
無線資源制御プロトコルシグナリングにより、在圏セル集合の上記基地局による設定を受信することを含み、
上記在圏セル集合における各在圏セルに対応する第１在圏セルの、上記基地局による設定を受信することは、
無線資源制御プロトコルシグナリングにより、上記在圏セル集合における各在圏セルに対応する第１在圏セルの、上記基地局による設定を受信することを含み、
上記在圏セル集合における各在圏セルに対応する第２在圏セルの、上記基地局による設定を受信することは、
無線資源制御プロトコルシグナリングにより、上記在圏セル集合における各在圏セルに対応する第２在圏セルの、上記基地局による設定を受信することを含む
ことを特徴とする請求項１〜７のいずれか一項に記載のデータチャネルのスケジューリング方法。
【請求項９】
少なくとも１つの在圏セルを含む在圏セル集合をユーザ機器に対し設定することと、
上記在圏セル集合における各在圏セルに対応する第１在圏セルであって、上記在圏セル集合のうちの在圏セルである第１在圏セルを、上記ユーザ機器に対し設定することと、
上記在圏セル集合における各在圏セルに対応する第２在圏セルであって、上記在圏セル集合のうちの在圏セルである第２在圏セルを、上記ユーザ機器に対し設定することと、
上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信することと、
上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信することと
を含み、
上記在圏セル集合における同一在圏セルに対応する第１在圏セルと第２在圏セルとは異なる在圏セルであることを特徴とするデータチャネルのスケジューリング方法。
【請求項１０】
上記在圏セル集合における各在圏セルに対応する第１在圏セルは、上記在圏セル集合における当該各在圏セル自体であり、
上記在圏セル集合における各在圏セルに対応する第１在圏セルは、アンライセンス周波数帯域で動作する在圏セルであることを特徴とする請求項９に記載のデータチャネルのスケジューリング方法。
【請求項１１】
上記在圏セル集合における各在圏セルに対応する第２在圏セルは、上記在圏セル集合における当該各在圏セル自体以外の在圏セルであり、
上記在圏セル集合における各在圏セルに対応する第２在圏セルは、ライセンス周波数帯域で動作する在圏セルであることを特徴とする請求項９に記載のデータチャネルのスケジューリング方法。
【請求項１２】
在圏セル集合を上記ユーザ機器に対し設定することは、
無線資源制御プロトコルシグナリングにより、在圏セル集合を上記ユーザ機器に対し設定することを含み、
上記在圏セル集合における各在圏セルに対応する第１在圏セルを上記ユーザ機器に対し設定することは、
無線資源制御プロトコルシグナリングにより、上記在圏セル集合における各在圏セルに対応する第１在圏セルを上記ユーザ機器に対し設定することを含み、
上記在圏セル集合における各在圏セルに対応する第２在圏セルを上記ユーザ機器に対し設定することは、
無線資源制御プロトコルシグナリングにより、上記在圏セル集合における各在圏セルに対応する第２在圏セルを上記ユーザ機器に対し設定することを含むことを特徴とする請求項９〜１１のいずれか一項に記載のデータチャネルのスケジューリング方法。
【請求項１３】
少なくとも１つの在圏セルを含む在圏セル集合をユーザ機器に対し設定するための在圏セル集合設定モジュールと、
上記在圏セル集合における各在圏セルに対応する第１在圏セルであって、上記在圏セル集合のうちの在圏セルである第１在圏セルを、上記ユーザ機器に対し設定するための第１在圏セル設定モジュールと、
上記在圏セル集合における各在圏セルに対応する第２在圏セルであって、上記在圏セル集合のうちの在圏セルである第２在圏セルを、上記ユーザ機器に対し設定するための第２在圏セル設定モジュールと、
上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信するための下りスケジューリング情報送信モジュールと、
上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信するための上りスケジューリング情報送信モジュールと
を含み、
上記在圏セル集合における同一在圏セルに対応する第１在圏セルと第２在圏セルとは異なる在圏セルであることを特徴とするデータチャネルのスケジューリング装置。
【請求項１４】
少なくとも１つの在圏セルを含む在圏セル集合の、基地局による設定を受信するための在圏セル集合設定受信モジュールと、
上記在圏セル集合における各在圏セルに対応する第１在圏セルであって、上記在圏セル集合のうちの在圏セルである第１在圏セルの、上記基地局による設定を受信するための第１在圏セル設定受信モジュールと、
上記在圏セル集合における各在圏セルに対応する第２在圏セルであって、上記在圏セル集合のうちの在圏セルである第２在圏セルの、上記基地局による設定を受信するための第２在圏セル設定受信モジュールと、
上記在圏セル集合のうち自装置との上りデータ伝送と下りデータ伝送が行われる在圏セルである第３在圏セルに対応する第１在圏セルにおいて、上記第３在圏セルと自装置との下りデータ伝送をスケジューリングするための下りスケジューリング情報が携帯されている第１物理下り制御チャネルを受信するための下りスケジューリング情報受信モジュールと、
上記第３在圏セルに対応する第２在圏セルにおいて、上記第３在圏セルと自装置との上りデータ伝送をスケジューリングするための上りスケジューリング情報が携帯されている第２物理下り制御チャネルを受信するための上りスケジューリング情報受信モジュールと
を含み、
上記在圏セル集合における同一在圏セルに対応する第１在圏セルと第２在圏セルとは異なる在圏セルであることを特徴とするデータチャネルのスケジューリング装置。
【発明の詳細な説明】
【技術分野】
【０００２】
本発明は、無線通信の技術分野に関し、特にデータチャネルのスケジューリング方法、装置及びシステムに関する。
【背景技術】
【０００３】
移動データサービス量のますますの増加に伴い、スペクトル資源がますます不足し、ライセンススペクトル資源によるネットワーク設定とサービス伝送のみでは、サービス量の要求を満たすことができなくなるので、ＬＴＥ（Ｌｏｎｇ  Ｔｅｒｍ  Ｅｖｏｌｕｔｉｏｎ）システムにおいて、アンライセンススペクトル資源で伝送を設定して（Ｕｎｌｉｃｅｎｓｅｄ  ＬＴＥ、単にＵ−ＬＴＥ又はＬＴＥ−Ｕという）ユーザエクスペリエンスの向上とカバレッジの拡張を図ることが考えられる。
【０００４】
アンライセンススペクトルは、具体的な応用システムが規定されておらず、ブルートゥース（登録商標）やＷｉＦｉ（登録商標）など、多種類の無線通信システムに共有される。多種類のシステムの間では、共有するアンライセンススペクトル資源を資源競争方式で使用する。例を挙げて説明すると、ＷｉＦｉシステムは、下記のようにアンライセンススペクトルで資源競争をする。まず、チャネルのモニタリングが行われ、チャネルのアイドル時間が分散制御用フレーム間隔ＤＩＦＳ（Ｄｉｓｔｒｉｂｕｔｅｄ  Ｉｎｔｅｒ−Ｆｒａｍｅ  Ｓｐａｃｅ）に達すると、現在のチャネルがアイドルチャネルであると判断される。それから、アクセスを待機するチャネルのステーションは、ランダムなバックオフ段階に入ることによって、複数のステーションによる同一資源での衝突発生が回避される。また、公平性保証のために、各ステーションでスペクトル資源を長期にわたり占用してはならず、一定の時間又はデータ伝送量の上限に達すると、他の機器／システムによる資源競争に供するよう、資源をリリースすることが規定されている。
【０００５】
ＬＴＥにおいて、アンライセンス周波数帯域の搬送波で動作する場合、他の機器やシステムとのスペクトル資源公平共用を保証するために、ＬＴＥ基地局とユーザ機器ＵＥ（Ｕｓｅｒ  Ｅｑｕｉｐｍｅｎｔ）も資源競争をする必要がある。
【０００６】
ＬＴＥシステムの場合、どのようにアンライセンススペクトルで動作するかについて、まだ明確な方法がない。１つの共通認識となる方法として、キャリアアグリゲーション（ＣＡ）メカニズムを用いて、アンライセンス周波数帯域の搬送波上のスペクトル資源を利用することであり、即ち、アンライセンス周波数帯域の搬送波がＣＡメカニズムにおける補助搬送波（Ｓｃｅｌｌ）としてデータ伝送に用いられる。
【０００７】
従来プロトコルによるＣＡメカニズムへの規定では、上述のアンライセンス周波数帯域の搬送波がＣＡに応用される場合の要求を満足することができない。
【発明の概要】
【発明が解決しようとする課題】
【０００８】
本発明の目的は、従来プロトコルのＣＡメカニズムへの規定で、アンライセンス周波数帯域の搬送波がＣＡに応用される場合の要求が満足できないという課題を解決するために、データチャネルのスケジューリング方法、装置及びシステムを提供することである。
【課題を解決するための手段】
【０００９】
本発明の目的は、以下の技術手段により実現される。
【００１０】
データチャネルのスケジューリング方法において、
少なくとも１つの在圏セルを含む在圏セル集合をユーザ機器に対し設定することと、
上記在圏セル集合における各在圏セルに対応する第１在圏セルであって、在圏セル集合のうちの在圏セルである第１在圏セルを、上記ユーザ機器に対し設定することと、
上記在圏セル集合における各在圏セルに対応する第２在圏セルであって、上記在圏セル集合のうちの在圏セルである第２在圏セルを、上記ユーザ機器に対し設定することと、
上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信することと、
上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信することとを含む。
【００１１】
上記在圏セル集合における各在圏セルに対応する第１在圏セルは、当該在圏セル自体であってもよく、当該在圏セル自体以外の在圏セルであってもよい。
【００１２】
第１在圏セルは、その対応する在圏セル自体である場合、アンライセンス周波数帯域で動作することが好ましい。
【００１３】
第１在圏セルは、その対応する在圏セル自体以外の在圏セルである場合、ライセンス周波数帯域で動作してもよい。
【００１４】
上記のいずれかの実施例に基づき、上記在圏セル集合における各在圏セルに対応する第２在圏セルは、当該在圏セル自体以外の在圏セルであってもよく、当該在圏セル自体であってもよい。
【００１５】
第２在圏セルは、その対応する在圏セル自体以外の在圏セルである場合、ライセンス周波数帯域で動作することが好ましい。
【００１６】
第２在圏セルは、その対応する在圏セル自体である場合、アンライセンス周波数帯域で動作してもよい。
【００１７】
上記のいずれかの実施例に基づき、在圏セル集合における同一在圏セルに対応する第１在圏セルと第２在圏セルとは、同一の在圏セルであってもよく、異なる在圏セルであってもよい。
【００１８】
上記のいずれかの実施例に基づき、在圏セル集合を上記ユーザ機器に対し設定することは、無線資源制御プロトコルシグナリングにより、在圏セル集合を上記ユーザ機器に対し設定することを含むことが好ましい。
【００１９】
上記のいずれかの実施例に基づき、上記在圏セル集合における各在圏セルに対応する第１在圏セルを上記ユーザ機器に対し設定することは、無線資源制御プロトコルシグナリングにより、上記在圏セル集合における各在圏セルに対応する第１在圏セルを上記ユーザ機器に対し設定することを含むことが好ましい。
【００２０】
上記のいずれかの実施例に基づき、上記在圏セル集合における各在圏セルに対応する第２在圏セルを上記ユーザ機器に対し設定することは、無線資源制御プロトコルシグナリングにより、上記在圏セル集合における各在圏セルに対応する第２在圏セルを上記ユーザ機器に対し設定することを含むことが好ましい。
【００２１】
データチャネルのスケジューリング方法において、
少なくとも１つの在圏セルを含む在圏セル集合の、基地局による設定を受信することと、
上記在圏セル集合における各在圏セルに対応する第１在圏セルであって、上記在圏セル集合のうちの在圏セルである第１在圏セルの、上記基地局による設定を受信することと、
上記在圏セル集合における各在圏セルに対応する第２在圏セルであって、上記在圏セル集合のうちの在圏セルである第２在圏セルの、上記基地局による設定を受信することと、
上記在圏セル集合のうち自ユーザ機器との上りデータ伝送と下りデータ伝送が行われる在圏セルである第３在圏セルに対応する第１在圏セルにおいて、上記第３在圏セルと自ユーザ機器との下りデータ伝送をスケジューリングするための下りスケジューリング情報が携帯されている第１物理下り制御チャネルを受信することと、
上記第３在圏セルに対応する第２在圏セルにおいて、上記第３在圏セルと自ユーザ機器との上りデータ伝送をスケジューリングするための上りスケジューリング情報が携帯されている第２物理下り制御チャネルを受信することとを含む。
【００２２】
上記在圏セル集合における各在圏セルに対応する第１在圏セルは、当該在圏セル自体であってもよく、当該在圏セル自体以外の在圏セルであってもよい。
【００２３】
第１在圏セルは、その対応する在圏セル自体である場合、アンライセンス周波数帯域で動作することが好ましい。
【００２４】
第１在圏セルは、その対応する在圏セル自体以外の在圏セルである場合、ライセンス周波数帯域で動作してもよい。
【００２５】
上記のいずれかの実施例に基づき、上記在圏セル集合における各在圏セルに対応する第２在圏セルは、当該在圏セル自体以外の在圏セルであってもよく、当該在圏セル自体であってもよい。
【００２６】
第２在圏セルは、その対応する在圏セル自体以外の在圏セルである場合、ライセンス周波数帯域で動作することが好ましい。
【００２７】
第２在圏セルは、その対応する在圏セル自体である場合、アンライセンス周波数帯域で動作してもよい。
【００２８】
上記のいずれかの実施例に基づき、在圏セル集合における同一在圏セルに対応する第１在圏セルと第２在圏セルとは、同一の在圏セルであってもよく、異なる在圏セルであってもよい。
【００２９】
上記のいずれかの実施例に基づき、在圏セル集合の上記基地局による設定を受信することは、無線資源制御プロトコルシグナリングにより、在圏セル集合の上記基地局による設定を受信することを含むことが好ましい。
【００３０】
上記のいずれかの実施例に基づき、上記在圏セル集合における各在圏セルに対応する第１在圏セルの、上記基地局による設定を受信することは、無線資源制御プロトコルシグナリングにより、上記在圏セル集合における各在圏セルに対応する第１在圏セルの、上記基地局による設定を受信することを含むことが好ましい。
【００３１】
上記のいずれかの実施例に基づき、上記在圏セル集合における各在圏セルに対応する第２在圏セルの、上記基地局による設定を受信することは、無線資源制御プロトコルシグナリングにより、上記在圏セル集合における各在圏セルに対応する第２在圏セルの、上記基地局による設定を受信することを含むことが好ましい。
【００３２】
データチャネルのスケジューリング方法において、
基地局が、少なくとも１つの在圏セルを含む在圏セル集合を、ユーザ機器に対し設定することと、
上記ユーザ機器が、在圏セル集合の上記基地局による設定を受信することと、
上記基地局が、上記在圏セル集合における各在圏セルに対応する第１在圏セルであって、上記在圏セル集合のうちの在圏セルである第１在圏セルを、上記ユーザ機器に対し設定することと、
上記ユーザ機器が、上記在圏セル集合における各在圏セルに対応する第１在圏セルの、上記基地局による設定を受信することと、
上記基地局が、上記在圏セル集合における各在圏セルに対応する第２在圏セルであって、上記在圏セル集合のうちの在圏セルである第２在圏セルを、上記ユーザ機器に対し設定することと、
上記ユーザ機器が、上記在圏セル集合における各在圏セルに対応する第２在圏セルの、上記基地局による設定を受信することと、
上記基地局が、上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信することと、
上記ユーザ機器が、上記在圏セル集合における第３在圏セルに対応する第１在圏セルにおいて上記第１物理下り制御チャネルを受信することと、
上記基地局が、上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信することと、
上記ユーザ機器が、上記第３在圏セルに対応する第２在圏セルにおいて上記第２物理下り制御チャネルを受信することとを含む。
【００３３】
方法と同様の発明思想に基づき、本発明の実施例は、データチャネルのスケジューリング装置を更に提供する。当該データチャネルのスケジューリング装置は、少なくとも１つの在圏セルを含む在圏セル集合をユーザ機器に対し設定するための在圏セル集合設定モジュールと、上記在圏セル集合における各在圏セルに対応する第１在圏セルであって、上記在圏セル集合のうちの在圏セルである第１在圏セルを、上記ユーザ機器に対し設定するための第１在圏セル設定モジュールと、上記在圏セル集合における各在圏セルに対応する第２在圏セルであって、上記在圏セル集合のうちの在圏セルである第２在圏セルを、上記ユーザ機器に対し設定するための第２在圏セル設定モジュールと、上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信するための下りスケジューリング情報送信モジュールと、上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信するための上りスケジューリング情報送信モジュールとを含む。
【００３４】
上記在圏セル集合における各在圏セルに対応する第１在圏セルは、当該在圏セル自体であってもよく、当該在圏セル自体以外の在圏セルであってもよい。
【００３５】
第１在圏セルは、その対応する在圏セル自体である場合、アンライセンス周波数帯域で動作することが好ましい。
【００３６】
第１在圏セルは、その対応する在圏セル自体以外の在圏セルである場合、ライセンス周波数帯域で動作してもよい。
【００３７】
上記のいずれかの実施例に基づき、上記在圏セル集合における各在圏セルに対応する第２在圏セルは、当該在圏セル自体以外の在圏セルであってもよく、当該在圏セル自体であってもよい。
【００３８】
第２在圏セルは、その対応する在圏セル自体以外の在圏セルである場合、ライセンス周波数帯域で動作することが好ましい。
【００３９】
第２在圏セルは、その対応する在圏セル自体である場合、アンライセンス周波数帯域で動作してもよい。
【００４０】
上記のいずれかの実施例に基づき、在圏セル集合における同一在圏セルに対応する第１在圏セルと第２在圏セルとは、同一の在圏セルであってもよく、異なる在圏セルであってもよい。
【００４１】
上記のいずれかの実施例に基づき、上記在圏セル集合設定モジュールは、無線資源制御プロトコルシグナリングにより、在圏セル集合を上記ユーザ機器に対し設定することに用いられることが好ましい。
【００４２】
上記のいずれかの実施例に基づき、上記第１在圏セル設定モジュールは、無線資源制御プロトコルシグナリングにより、上記在圏セル集合における各在圏セルに対応する第１在圏セルを上記ユーザ機器に対し設定することに用いられることが好ましい。
【００４３】
上記のいずれかの実施例に基づき、上記第２在圏セル設定モジュールは、無線資源制御プロトコルシグナリングにより、上記在圏セル集合における各在圏セルに対応する第２在圏セルを上記ユーザ機器に対し設定することに用いられることが好ましい。
【００４４】
方法と同様の発明思想に基づき、本発明の実施例は、プロセッサと、プロセッサによる制御でデータを送受信するためのトランシーバと、プロセッサの操作実行に使用されるデータを格納するためのメモリとを含む基地局を更に提供し、ここで、プロセッサは、メモリからプログラムを読み出して以下のプロセス、即ち、少なくとも１つの在圏セルを含む在圏セル集合をユーザ機器に対し設定することと、上記在圏セル集合における各在圏セルに対応する第１在圏セルであって、在圏セル集合のうちの在圏セルである第１在圏セルを、上記ユーザ機器に対し設定することと、上記在圏セル集合における各在圏セルに対応する第２在圏セルであって、上記在圏セル集合のうちの在圏セルである第２在圏セルを、上記ユーザ機器に対し設定することと、上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを、トランシーバを介して上記ユーザ機器に送信することと、上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを、トランシーバを介して上記ユーザ機器に送信することとを実行する。
【００４５】
上記在圏セル集合における各在圏セルに対応する第１在圏セルは、当該在圏セル自体であってもよく、当該在圏セル自体以外の在圏セルであってもよい。
【００４６】
第１在圏セルは、その対応する在圏セル自体である場合、アンライセンス周波数帯域で動作することが好ましい。
【００４７】
第１在圏セルは、その対応する在圏セル自体以外の在圏セルである場合、ライセンス周波数帯域で動作してもよい。
【００４８】
上記のいずれかの実施例に基づき、上記在圏セル集合における各在圏セルに対応する第２在圏セルは、当該在圏セル自体以外の在圏セルであってもよく、当該在圏セル自体であってもよい。
【００４９】
第２在圏セルは、その対応する在圏セル自体以外の在圏セルである場合、ライセンス周波数帯域で動作することが好ましい。
【００５０】
第２在圏セルは、その対応する在圏セル自体である場合、アンライセンス周波数帯域で動作してもよい。
【００５１】
上記のいずれかの実施例に基づき、在圏セル集合における同一在圏セルに対応する第１在圏セルと第２在圏セルとは、同一の在圏セルであってもよく、異なる在圏セルであってもよい。
【００５２】
上記のいずれかの実施例に基づき、上記プロセッサは、無線資源制御プロトコルシグナリングにより、在圏セル集合を上記ユーザ機器に対し設定することに用いられることが好ましい。
【００５３】
上記のいずれかの実施例に基づき、無線資源制御プロトコルシグナリングにより、上記在圏セル集合における各在圏セルに対応する第１在圏セルを上記ユーザ機器に対し設定することが好ましい。
【００５４】
上記のいずれかの実施例に基づき、無線資源制御プロトコルシグナリングにより、上記在圏セル集合における各在圏セルに対応する第２在圏セルを上記ユーザ機器に対し設定することが好ましい。
【００５５】
方法と同様の発明思想に基づき、本発明の実施例は、データチャネルのスケジューリング装置を更に提供する。当該データチャネルのスケジューリング装置は、少なくとも１つの在圏セルを含む在圏セル集合の、基地局による設定を受信するための在圏セル集合設定受信モジュールと、上記在圏セル集合における各在圏セルに対応する第１在圏セルであって、上記在圏セル集合のうちの在圏セルである第１在圏セルの、上記基地局による設定を受信するための第１在圏セル設定受信モジュールと、上記在圏セル集合における各在圏セルに対応する第２在圏セルであって、上記在圏セル集合のうちの在圏セルである第２在圏セルの、上記基地局による設定を受信するための第２在圏セル設定受信モジュールと、上記在圏セル集合のうち自装置との上りデータ伝送と下りデータ伝送が行われる在圏セルである第３在圏セルに対応する第１在圏セルにおいて、上記第３在圏セルと自装置との下りデータ伝送をスケジューリングするための下りスケジューリング情報が携帯されている第１物理下り制御チャネルを受信するための下りスケジューリング情報受信モジュールと、上記第３在圏セルに対応する第２在圏セルにおいて、上記第３在圏セルと自装置との上りデータ伝送をスケジューリングするための上りスケジューリング情報が携帯されている第２物理下り制御チャネルを受信するための上りスケジューリング情報受信モジュールとを含む。
【００５６】
上記在圏セル集合における各在圏セルに対応する第１在圏セルは、当該在圏セル自体であってもよく、当該在圏セル自体以外の在圏セルであってもよい。
【００５７】
第１在圏セルは、その対応する在圏セル自体である場合、アンライセンス周波数帯域で動作することが好ましい。
【００５８】
第１在圏セルは、その対応する在圏セル自体以外の在圏セルである場合、ライセンス周波数帯域で動作してもよい。
【００５９】
上記のいずれかの実施例に基づき、上記在圏セル集合における各在圏セルに対応する第２在圏セルは、当該在圏セル自体以外の在圏セルであってもよく、当該在圏セル自体であってもよい。
【００６０】
第２在圏セルは、その対応する在圏セル自体以外の在圏セルである場合、ライセンス周波数帯域で動作することが好ましい。
【００６１】
第２在圏セルは、その対応する在圏セル自体である場合、アンライセンス周波数帯域で動作してもよい。
【００６２】
上記のいずれかの実施例に基づき、在圏セル集合における同一在圏セルに対応する第１在圏セルと第２在圏セルとは、同一の在圏セルであってもよく、異なる在圏セルであってもよい。
【００６３】
上記のいずれかの実施例に基づき、上記在圏セル集合設定受信モジュールは、無線資源制御プロトコルシグナリングにより、在圏セル集合の上記基地局による設定を受信することに用いられることが好ましい。
【００６４】
上記のいずれかの実施例に基づき、上記第１在圏セル設定受信モジュールは、無線資源制御プロトコルシグナリングにより、上記在圏セル集合における各在圏セルに対応する第１在圏セルの、上記基地局による設定を受信することに用いられることが好ましい。
【００６５】
上記のいずれかの実施例に基づき、無線資源制御プロトコルシグナリングにより、上記在圏セル集合における各在圏セルに対応する第２在圏セルの、上記基地局による設定を受信することが好ましい。
【００６６】
方法と同様の発明思想に基づき、本発明の実施例は、プロセッサと、プロセッサによる制御でデータを送受信するためのトランシーバと、プロセッサの操作実行に使用されるデータを格納するためのメモリとを含むＵＥを更に提供し、ここで、プロセッサは、メモリからプログラムを読み出して以下のプロセス、即ち、少なくとも１つの在圏セルを含む在圏セル集合の、基地局による設定をトランシーバを介して受信することと、上記在圏セル集合における各在圏セルに対応する第１在圏セルであって、上記在圏セル集合のうちの在圏セルである第１在圏セルの、上記基地局による設定をトランシーバを介して受信することと、上記在圏セル集合における各在圏セルに対応する第２在圏セルであって、上記在圏セル集合のうちの在圏セルである第２在圏セルの、上記基地局による設定をトランシーバを介して受信することと、上記在圏セル集合のうち自ユーザ機器との上りデータ伝送と下りデータ伝送が行われる在圏セルである第３在圏セルに対応する第１在圏セルにおいて、上記第３在圏セルと自ユーザ機器との下りデータ伝送をスケジューリングするための下りスケジューリング情報が携帯されている第１物理下り制御チャネルをトランシーバを介して受信することと、上記第３在圏セルに対応する第２在圏セルにおいて、上記第３在圏セルと自ユーザ機器との上りデータ伝送をスケジューリングするための上りスケジューリング情報が携帯されている第２物理下り制御チャネルをトランシーバを介して受信することとを実行する。
【００６７】
上記活性化した在圏セル集合における各在圏セルに対応する第１在圏セルは、当該在圏セル自体であってもよく、当該在圏セル自体以外の在圏セルであってもよい。
【００６８】
第１在圏セルは、その対応する在圏セル自体である場合、アンライセンス周波数帯域で動作することが好ましい。
【００６９】
第１在圏セルは、その対応する在圏セル自体以外の在圏セルである場合、ライセンス周波数帯域で動作してもよい。
【００７０】
上記のいずれかの実施例に基づき、上記活性化した在圏セル集合における各在圏セルに対応する第２在圏セルは、当該在圏セル自体以外の在圏セルであってもよく、当該在圏セル自体であってもよい。
【００７１】
第２在圏セルは、その対応する在圏セル自体以外の在圏セルである場合、ライセンス周波数帯域で動作することが好ましい。
【００７２】
第２在圏セルは、その対応する在圏セル自体である場合、アンライセンス周波数帯域で動作してもよい。
【００７３】
上記のいずれかの実施例に基づき、上記在圏セル集合における同一在圏セルに対応する第１在圏セルと第２在圏セルとは、同一の在圏セルであってもよく、異なる在圏セルであってもよい。
【００７４】
上記のいずれかの実施例に基づき、無線資源制御プロトコルシグナリングにより、在圏セル集合の上記基地局による設定を受信することが好ましい。
【００７５】
上記のいずれかの実施例に基づき、無線資源制御プロトコルシグナリングにより、上記在圏セル集合における各在圏セルに対応する第１在圏セルの、上記基地局による設定を受信することが好ましい。
【００７６】
上記のいずれかの実施例に基づき、無線資源制御プロトコルシグナリングにより、上記在圏セル集合における各在圏セルに対応する第２在圏セルの、上記基地局による設定を受信することが好ましい。
【００７７】
方法と同様の発明思想に基づき、本発明の実施例は、基地局とユーザ機器とを含むデータチャネルのスケジューリングシステムを更に提供し、
ここで、基地局は、
少なくとも１つの在圏セルを含む在圏セル集合を、ユーザ機器に対し設定し、
上記在圏セル集合における各在圏セルに対し、対応する第１在圏セルであって上記在圏セル集合のうちの在圏セルである第１在圏セルを設定し、
上記在圏セル集合における各在圏セルに対し、対応する第２在圏セルであって上記在圏セル集合のうちの在圏セルである第２在圏セルを設定し、
上記在圏セル集合のうち上記ユーザ機器との上りデータ伝送と下りデータ伝送が行われる在圏セルである第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信し、
上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信し、
ユーザ機器は、
在圏セル集合の上記基地局による設定を受信し、
上記在圏セル集合における各在圏セルに対応する第１在圏セルの、上記基地局による設定を受信し、
上記在圏セル集合における各在圏セルに対応する第２在圏セルの、上記基地局による設定を受信し、
上記在圏セル集合における第３在圏セルに対応する第１在圏セルにおいて上記第１物理下り制御チャネルを受信し、
上記第３在圏セルに対応する第２在圏セルにおいて上記第２物理下り制御チャネルを受信する。
【発明の効果】
【００７８】
本発明の実施例による方法、装置及びシステムにおいて、ＵＥの第３在圏セルの下りデータスケジューリングを行う第１在圏セルと、当該第３在圏セルの上りデータスケジューリングを行う第２在圏セルが独立に設定されるため、アンライセンス周波数帯域の搬送波がＣＡに応用される場合の要求が満足される。
【図面の簡単な説明】
【００７９】
【図１】本発明の実施例による基地局・ＵＥ協働実施方法のフローチャートである。
【図２】従来技術で規定されるＰＤＣＣＨ在圏セルとＰＤＳＣＨ／ＰＵＳＣＨ在圏セルの関連関係模式図である。
【図３】本発明の実施例のＰＤＣＣＨ在圏セルとＰＤＳＣＨ／ＰＵＳＣＨ在圏セルの関連関係模式図である。
【図４】本発明の実施例による第１方法のシグナリング図である。
【図５】本発明の実施例による第２方法のシグナリング図である。
【図６】本発明の実施例による第１装置の模式図である。
【図７】本発明の実施例による基地局の構造模式図である。
【図８】本発明の実施例による第２装置の模式図である。
【図９】本発明の実施例によるＵＥの構造模式図である。
【発明を実施するための形態】
【００８０】
以下、図面を参照しながら、本発明の実施例の技術手段を詳細に説明する。
【００８１】
以下の説明において、まず基地局側とＵＥ側による協働実施から説明し、それから基地局側の実施とＵＥ側の実施をそれぞれ説明するが、両者が必ず協働実施しなければならないという意味ではない。実際に基地局側とＵＥ側で別々実施する際に、基地局側とＵＥ側にそれぞれ存在する問題を解決しており、両者が協働実施の場合に、より優れる技術効果が取得される。
【００８２】
本発明の実施例による、基地局とＵＥで協働実施するデータチャネルのスケジューリング方法は、図１に示すように、そのフローとして具体的に以下の操作を含む。
【００８３】
ステップ１００において、基地局は、少なくとも１つの在圏セルを含む在圏セル集合を、ＵＥに対し設定する。
【００８４】
本発明の実施例において、在圏セル集合をＵＥに対し設定することは、具体的に、在圏セル集合をＵＥに対し割り当て、当該在圏セル集合の設定情報をＵＥに送信することを含む。
【００８５】
在圏セル集合は、活性化された在圏セルから構成されることが好ましい。
【００８６】
ステップ１１０において、ＵＥは、在圏セル集合の基地局による設定を受信する。
【００８７】
在圏セル集合の基地局による設定を受信することは、基地局からの在圏セル集合の設定情報を受信することである。
【００８８】
ステップ１２０において、上記基地局は、上記在圏セル集合における各在圏セルに対応する第１在圏セルであって当該在圏セル集合のうちの在圏セルである第１在圏セルを上記ＵＥに対し設定する。
【００８９】
本発明の実施例において、在圏セル集合における各在圏セルに対応する第１在圏セルをＵＥに対し設定することは、具体的に、在圏セル集合における各在圏セルに対応する第１在圏セルをＵＥに割り当て、割り当てた第１在圏セルの設定情報をＵＥに送信することを含む。
【００９０】
ステップ１３０において、上記ＵＥは、上記在圏セル集合における各在圏セルに対応する第１在圏セルの、上記基地局による設定を受信する。
【００９１】
在圏セル集合における各在圏セルに対応する第１在圏セルの、基地局による設定を受信することは、具体的に、基地局からの第１在圏セルの設定情報を受信することである。
【００９２】
ステップ１４０において、上記基地局は、上記在圏セル集合における各在圏セルに対応する第２在圏セルであって当該在圏セル集合のうちの在圏セルである第２在圏セルを上記ＵＥに対し割り当てる。
【００９３】
本発明の実施例において、在圏セル集合における各在圏セルに対応する第２在圏セルをＵＥに対し設定することは、具体的に、在圏セル集合における各在圏セルに対応する第２在圏セルをＵＥに割り当て、割り当てた第２在圏セルの設定情報をＵＥに送信することを含む。
【００９４】
ステップ１５０において、上記ＵＥは、上記在圏セル集合における各在圏セルに対応する第２在圏セルの、上記基地局による設定を受信する。
【００９５】
在圏セル集合における各在圏セルに対応する第２在圏セルの、基地局による設定を受信することは、具体的に、基地局からの第２在圏セルの設定情報を受信することである。
【００９６】
ステップ１６０において、上記基地局は、第３在圏セルに対応する第１在圏セルにおいて、第１ＰＤＣＣＨを当該ＵＥに送信し、当該第１ＰＤＣＣＨには、当該第３在圏セルと当該ＵＥとの下りデータ伝送をスケジューリングするための下りスケジューリング情報が携帯されている。
【００９７】
本発明の実施例において、第１在圏セルは、その対応する在圏セルとＵＥとの下りデータ伝送をスケジューリングする在圏セルであり、第１在圏セルにおいて送信され当該下りスケジューリング情報を携帯するＰＤＣＣＨを第１ＰＤＣＣＨと称する。
【００９８】
ステップ１７０において、上記ＵＥは、上記第１在圏セルにおいて上記第１ＰＤＣＣＨを受信する。
【００９９】
ステップ１８０において、上記基地局は、上記第３在圏セルに対応する第２在圏セルにおいて、第２ＰＤＣＣＨを当該ＵＥに送信し、当該第２ＰＤＣＣＨには、当該第３在圏セルと当該ＵＥとの上りデータ伝送をスケジューリングするための上りスケジューリング情報が携帯されている。
【０１００】
本発明の実施例において、第２在圏セルは、その対応する在圏セルとＵＥとの上りデータ伝送をスケジューリングする在圏セルであり、第２在圏セルから送信され当該上りスケジューリング情報を携帯するＰＤＣＣＨを第２ＰＤＣＣＨと称する。
【０１０１】
本発明の実施例において、第３在圏セルは、当該在圏セル集合のうち上記ＵＥとの上りデータ伝送と下りデータ伝送が行われる在圏セルである。
【０１０２】
ステップ１９０において、上記ＵＥは、上記第２在圏セルにおいて上記第２ＰＤＣＣＨを受信する。
【０１０３】
本発明の実施例において、在圏セルは、ライセンス周波数帯域の搬送波で動作してもよく、アンライセンス周波数帯域の搬送波で動作してもよい。
【０１０４】
本発明の実施例において、在圏セル集合における同一在圏セルに対応する第１在圏セルと第２在圏セルとは、同一の在圏セルであってもよく、異なる在圏セルであってもよい。
【０１０５】
本発明の実施例において、在圏セル集合における各在圏セルに対応する第１在圏セルは、当該在圏セル自体であってもよく、当該在圏セル自体以外の在圏セルであってもよい。
【０１０６】
第１在圏セルは、その対応する在圏セル自体である場合、アンライセンス周波数帯域で動作することが好ましい。
【０１０７】
第１在圏セルは、その対応する在圏セル自体以外の在圏セルである場合、ライセンス周波数帯域で動作してもよい。
【０１０８】
本発明の実施例において、在圏セル集合における各在圏セルに対応する第２在圏セルは、当該在圏セル自体以外の在圏セルであってもよく、当該在圏セル自体であってもよい。
【０１０９】
第２在圏セルは、その対応する在圏セル自体以外の在圏セルである場合、ライセンス周波数帯域で動作することが好ましい。
【０１１０】
第２在圏セルは、その対応する在圏セル自体である場合、アンライセンス周波数帯域で動作してもよい。
【０１１１】
なお、本発明の実施例において、在圏セル集合を再設定することができる。
【０１１２】
毎回、在圏セル集合の設定が完成すると、第１在圏セル、第２在圏セルの集合を設定するタイミングは、実際のシナリオ、プロバイダーの要求などに応じて確定するが、本発明ではこれについて限定しない。また、第１在圏セルを再設定してもよく、第２在圏セルを再設定してもよい。且つ同一在圏セルに対する第１在圏セル設定と第２在圏セル設定は、独立に行われ、２つの設定の間に時間上の前後関係がない。
【０１１３】
なお、ステップ１６０とステップ１８０には、時間上の前後関係がない。下りスケジューリングの場合、ステップ１６０を実行するが、上りスケジューリングの場合、ステップ１８０を実行する。
【０１１４】
本発明の実施例による方法において、ＵＥの第３在圏セルの下りデータスケジューリングを行う第１在圏セルと、当該第３在圏セルの上りデータスケジューリングを行う第２在圏セルが独立に設定されるため、アンライセンス周波数帯域の搬送波がＣＡに応用される場合の要求が満足される。
【０１１５】
その理由として、発明者が本発明を実現する過程において、従来プロトコルで下記のようにＣＡメカニズムが規定されていることを発見したからである。即ち、具体的に図２に示すように、データ伝送用の在圏セルとスケジューリング情報伝送用の在圏セルの関連関係を設定する場合、データ伝送用の在圏セルの下り／上りスケジューリングを行うスケジューリング情報は、同一在圏セルからしか送信されない。図２の対象とするシナリオにおいて、ＵＥに３つの在圏セルを有し、当該３つの在圏セルがそれぞれ搬送波１、搬送波２、搬送波３で動作する。当該３つの在圏セルのうち、ＰＤＳＣＨ送信／ＰＵＳＣＨ受信用の在圏セル（ＰＤＳＣＨ／ＰＵＳＣＨ在圏セル、即ち本発明の実施例における第３在圏セル）は、当該３つの在圏セルのうちの１つ（即ちＰＤＣＣＨ在圏セル）にしかスケジューリングされない。一方、本発明の実施例による手段において、ＵＥの第３在圏セルの下りデータスケジューリングを行う第１在圏セルと、当該第３在圏セルの上りデータスケジューリングを行う第２在圏セルに対しそれぞれ設定する。また上述の３つの在圏セルを例とし、図３に示すように、ＰＤＳＣＨ／ＰＵＳＣＨ在圏セルの上りスケジューリングと下りスケジューリングを行うＰＤＣＣＨ在圏セルは、同一の在圏セルでなくてもよい。アンライセンス周波数帯域の搬送波でＰＤＳＣＨを伝送する場合、基地局が競争によってアンライセンス周波数帯域の第１のサブフレームを取得した直後であれば、ライセンス周波数帯域の搬送波とのインタラクティブがまだ行われず、又は当該第１のサブフレームが完全なデータサブフレームとは限らないため、下りスケジューリング情報のライセンス周波数帯域の搬送波での伝送が容易ではなく、アンライセンス周波数帯域の搬送波で下りスケジューリング情報を伝送することが好ましい。一方、アンライセンス周波数帯域の搬送波でＰＵＳＣＨを伝送する場合、アンライセンス周波数帯域の搬送波でも上りスケジューリング情報を伝送すると、基地局が資源を競争する必要があり、当該資源を競争により取得すると、当該資源が上りスケジューリング情報の伝送にのみ用いられる可能性があり、資源の無駄使いになる。資源を競争して得られないと、上りスケジューリングの機会が限定されるため、ライセンス周波数帯域で上りスケジューリング情報を伝送することが好ましい。従来のＣＡメカニズム規定により、上述のスケジューリング要求が実現できない。一方、本発明の実施例による手段では、ライセンス周波数帯域の搬送波で上りスケジューリング情報を、アンライセンス周波数帯域の搬送波で下りスケジューリング情報を伝送することができる。
【０１１６】
本発明の実施例による手段は、在圏セル集合のうち、アンライセンス周波数帯域の搬送波で動作する全ての在圏セルでＤＬ  ｏｎｌｙモードが採用されることに適用し、在圏セル集合のうち、アンライセンス周波数帯域の搬送波で動作する全ての在圏セルでＤＬ＋ＵＬの伝送モードが採用されることにも適用する。
【０１１７】
本発明の実施例による手段は、在圏セル集合のうち、アンライセンス周波数帯域の搬送波で動作する全ての在圏セルでＴＤＤモードが採用されることに適用し、在圏セル集合のうち、アンライセンス周波数帯域の搬送波で動作する全ての在圏セルでＦＤＤモードが採用されることにも適用する。
【０１１８】
本発明の実施例による、基地局側でのデータチャネルのスケジューリング方法は、図４に示すように、具体的に以下の操作を含む。
【０１１９】
ステップ４００において、少なくとも１つの在圏セルを含む在圏セル集合をＵＥに対し設定する。
【０１２０】
ステップ４１０において、当該在圏セル集合における各在圏セルに対応する第１在圏セルであって、当該在圏セル集合のうちの在圏セルである第１在圏セルを、当該ＵＥに対し設定する。
【０１２１】
ステップ４２０において、当該在圏セル集合における各在圏セルに対応する第２在圏セルであって、当該在圏セル集合のうちの在圏セルである第２在圏セルを、当該ＵＥに対し設定する。
【０１２２】
ステップ４３０において、第３在圏セルに対応する第１在圏セルにおいて、上記第３在圏セルと当該ＵＥとの下りデータ伝送をスケジューリングするための下りスケジューリング情報が携帯されている第１物理下り制御チャネルを当該ＵＥに送信する。
【０１２３】
ステップ４４０において、上記第３在圏セルに対応する第２在圏セルにおいて、当該第３在圏セルと当該ＵＥとの上りデータ伝送をスケジューリングするための上りスケジューリング情報が携帯されている第２物理下り制御チャネルを当該ＵＥに送信する。当該第３在圏セルは、上記在圏セル集合のうち当該ＵＥとの上りデータ伝送と下りデータ伝送が行われる在圏セルである。
【０１２４】
基地局側での実施例において、第１在圏セル、第２在圏セルなどに関する記載は、上述の実施例を参照されたく、重複箇所を繰り返して説明しない。
【０１２５】
上記のいずれかの実施例において、無線資源制御プロトコル（ＲＲＣ）シグナリングにより、在圏セル集合を上記ＵＥに対し設定することが好ましい。
【０１２６】
上記のいずれかの実施例において、無線資源制御プロトコル（ＲＲＣ）シグナリングにより、在圏セル集合における各在圏セルに対応する第１在圏セルをＵＥに対し設定することが好ましい。
【０１２７】
上記のいずれかの実施例において、無線資源制御プロトコル（ＲＲＣ）シグナリングにより、在圏セル集合における各在圏セルに対応する第２在圏セルをＵＥに対し設定することが好ましい。
【０１２８】
以下、基地局側からＵＥに対する在圏セル設定を例示して説明する。
【０１２９】
基地局がＵＥに対し設定する在圏セル集合が全てライセンス周波数帯域上の搬送波で動作する場合、在圏セル集合のうちの各在圏セルに対し設定する第１在圏セルと第２在圏セルとは、同一の在圏セルである。具体的な設定方式について、３ＧＰＰリリースＲ１０のプロトコル規定を参照されたい。
【０１３０】
基地局がＵＥに対し設定する在圏セル集合のうち、ライセンス周波数帯域の搬送波で動作する在圏セルもあれば、アンライセンス周波数帯域の搬送波で動作する在圏セルもある。基地局が在圏セル集合のうちライセンス周波数帯域の搬送波で動作する各在圏セルに設定する第１在圏セルと第２在圏セルとは、同一の在圏セルである。具体的な設定方式について、３ＧＰＰリリースＲ１０のプロトコル規定を参照されたい。基地局は、在圏セル集合のうち、アンライセンス周波数帯域の搬送波で動作する各在圏セルに対し第１在圏セルと第２在圏セルをそれぞれ設定する。アンライセンス周波数帯域の搬送波で動作する在圏セルに設定する第１在圏セルは、アンライセンス周波数帯域で動作し、ライセンス周波数帯域の搬送波で動作する在圏セルに設定する第２在圏セルは、ライセンス周波数帯域で動作することが好ましい。例えば、第２在圏セルがＰｃｅｌｌである。
【０１３１】
図３を例とし、搬送波１がライセンス周波数帯域の搬送波であるが、搬送波２、搬送波３は、アンライセンス周波数帯域の搬送波である。搬送波１で動作する在圏セルに対応する第１在圏セル、第２在圏セルは、共に当該在圏セル自体である。搬送波２、搬送波３で動作する在圏セルに対応する第２在圏セルは、共に搬送波１で動作する在圏セルである。搬送波２で動作する在圏セルに対応する第１在圏セルは、搬送波１で動作する在圏セルである。搬送波１で動作する在圏セルのＰＤＣＣＨ容量が限定されうることを考慮し、基地局は、搬送波３で動作する在圏セルに対応する第１在圏セルを当該在圏セル自体として設定する。
【０１３２】
基地局において、アンライセンス周波数帯域の搬送波で伝送するＰＵＳＣＨのスケジューリングＰＤＣＣＨがライセンス搬送波のみで搬送される場合、ＰＵＳＣＨのスケジューリングＰＤＣＣＨを送信するためにわざわざ下りチャネル資源を競争する必要がなくなり、同時にアンライセンス周波数帯域でのチャネル競争失敗の理由で、アンライセンス周波数帯域の搬送波で伝送するＰＵＳＣＨスケジューリングに影響を与えることもない。アンライセンス周波数帯域の搬送波で伝送するＰＤＳＣＨのスケジューリングＰＤＣＣＨ伝送について、スケジューリング効率及びライセンス周波数帯域の搬送波の容量などの要素を全面的に考慮して確定してもよい。例えば、ライセンス周波数帯域の搬送波でのＰＤＣＣＨ容量が充分であれば、アンライセンスの搬送波で伝送するＰＤＳＣＨのスケジューリングＰＤＣＣＨをライセンス周波数帯域の搬送波に配置して伝送し、逆の場合、アンライセンス周波数帯域の搬送波で伝送する。以上をまとめると、本発明の実施例による方法は、アンライセンス周波数帯域の搬送波のスケジューリング効率を効果的に向上させることができる。
【０１３３】
本発明の実施例による、ＵＥ側でのデータチャネルのスケジューリング方法は、図５に示すように、具体的に以下の操作を含む。
【０１３４】
ステップ５００において、少なくとも１つの在圏セルを含む在圏セル集合の、基地局による設定を受信する。
【０１３５】
ステップ５１０において、当該在圏セル集合における各在圏セルに対応する第１在圏セルであって、当該在圏セル集合のうちの在圏セルである第１在圏セルの、当該基地局による設定を受信する。
【０１３６】
ステップ５２０において、当該在圏セル集合における各在圏セルに対応する第２在圏セルであって、当該在圏セル集合のうちの在圏セルである第２在圏セルの、当該基地局による設定を受信する。
【０１３７】
ステップ５３０において、第３在圏セルに対応する第１在圏セルにおいて、当該第３在圏セルと自装置との下りデータ伝送をスケジューリングするための下りスケジューリング情報が携帯されている第１物理下り制御チャネルを受信する。
【０１３８】
ステップ５４０において、上記第３在圏セルに対応する第２在圏セルにおいて、当該第３在圏セルと自装置との上りデータ伝送をスケジューリングするための上りスケジューリング情報が携帯されている第２物理下り制御チャネルを受信する。当該第３在圏セルは、上記在圏セル集合のうち自装置との上りデータ伝送と下りデータ伝送が行われる在圏セルである。
【０１３９】
ＵＥ側での実施例において、第１在圏セル、第２在圏セルなどに関する記載は、上述の実施例を参照されたく、重複箇所を繰り返して説明しない。
【０１４０】
在圏セル集合の上記基地局による設定を受信することは、無線資源制御プロトコルシグナリングにより、在圏セル集合の上記基地局による設定を受信することを含むことが好ましい。
【０１４１】
上記のいずれかの実施例において、上記在圏セル集合における各在圏セルに対応する第１在圏セルの、上記基地局による設定を受信することは、無線資源制御プロトコルシグナリングにより、上記在圏セル集合における各在圏セルに対応する第１在圏セルの、上記基地局による設定を受信することを含むことが好ましい。
【０１４２】
上記のいずれかの実施例において、上記在圏セル集合における各在圏セルに対応する第２在圏セルの、上記基地局による設定を受信することは、無線資源制御プロトコルシグナリングにより、上記在圏セル集合における各在圏セルに対応する第２在圏セルの、上記基地局による設定を受信することを含むことが好ましい。
【０１４３】
方法と同様の発明思想に基づき、本発明の実施例は、図６に示すように、少なくとも１つの在圏セルを含む在圏セル集合をユーザ機器に対し設定するための在圏セル集合設定モジュール６００と、上記在圏セル集合における各在圏セルに対応する第１在圏セルであって、上記在圏セル集合のうちの在圏セルである第１在圏セルを、上記ユーザ機器に対し設定するための第１在圏セル設定モジュール６１０と、上記在圏セル集合における各在圏セルに対応する第２在圏セルであって、上記在圏セル集合のうちの在圏セルである第２在圏セルを、上記ユーザ機器に対し設定するための第２在圏セル設定モジュール６２０と、第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信するための下りスケジューリング情報送信モジュール６３０と、上記在圏セル集合のうち上記ユーザ機器との上りデータ伝送と下りデータ伝送が行われる在圏セルである上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信するための上りスケジューリング情報送信モジュール６４０とを含むデータチャネルのスケジューリング装置を更に提供する。
【０１４４】
上記在圏セル集合における各在圏セルに対応する第１在圏セルは、当該在圏セル自体であってもよく、当該在圏セル自体以外の在圏セルであってもよい。
【０１４５】
第１在圏セルは、その対応する在圏セル自体である場合、アンライセンス周波数帯域で動作することが好ましい。
【０１４６】
第１在圏セルは、その対応する在圏セル自体以外の在圏セルである場合、ライセンス周波数帯域で動作してもよい。
【０１４７】
上記のいずれかの実施例に基づき、上記在圏セル集合における各在圏セルに対応する第２在圏セルは、当該在圏セル自体以外の在圏セルであってもよく、当該在圏セル自体であってもよい。
【０１４８】
第２在圏セルは、その対応する在圏セル自体以外の在圏セルである場合、ライセンス周波数帯域で動作することが好ましい。
【０１４９】
第２在圏セルは、その対応する在圏セル自体である場合、アンライセンス周波数帯域で動作してもよい。
【０１５０】
上記のいずれかの実施例に基づき、在圏セル集合における同一在圏セルに対応する第１在圏セルと第２在圏セルとは、同一の在圏セルであってもよく、異なる在圏セルであってもよい。
【０１５１】
上記のいずれかの実施例に基づき、上記在圏セル集合設定モジュールは、無線資源制御プロトコルシグナリングにより、在圏セル集合を上記ユーザ機器に対し設定することに用いられることが好ましい。
【０１５２】
上記のいずれかの実施例に基づき、上記第１在圏セル設定モジュールは、無線資源制御プロトコルシグナリングにより、上記在圏セル集合における各在圏セルに対応する第１在圏セルを上記ユーザ機器に対し設定することに用いられることが好ましい。
【０１５３】
上記のいずれかの実施例に基づき、上記第２在圏セル設定モジュールは、無線資源制御プロトコルシグナリングにより、上記在圏セル集合における各在圏セルに対応する第２在圏セルを上記ユーザ機器に対し設定することに用いられることが好ましい。
【０１５４】
方法と同様の発明思想に基づき、本発明の実施例は、プロセッサ７００と、プロセッサ７００による制御でデータを送受信するためのトランシーバ７１０と、プロセッサ７００の操作実行に使用されるデータを格納するためのメモリ７２０とを含む基地局を更に提供する。ここで、プロセッサ７００は、メモリ７２０からプログラムを読み出して以下のプロセス、即ち、少なくとも１つの在圏セルを含む在圏セル集合をユーザ機器に対し設定することと、上記在圏セル集合における各在圏セルに対応する第１在圏セルであって、在圏セル集合のうちの在圏セルである第１在圏セルを、上記ユーザ機器に対し設定することと、上記在圏セル集合における各在圏セルに対応する第２在圏セルであって、上記在圏セル集合のうちの在圏セルである第２在圏セルを、上記ユーザ機器に対し設定することと、第３在圏セルに対応する第１在圏セルにおいて、上記第３在圏セルと上記ユーザ機器との下りデータ伝送をスケジューリングするための下りスケジューリング情報が携帯されている第１物理下り制御チャネルをトランシーバ７１０を介して上記ユーザ機器に送信することと、上記第３在圏セルに対応する第２在圏セルにおいて、上記在圏セル集合のうち上記ユーザ機器との上りデータ伝送と下りデータ伝送が行われる在圏セルである上記第３在圏セルと上記ユーザ機器との上りデータ伝送をスケジューリングするための上りスケジューリング情報が携帯されている第２物理下り制御チャネルをトランシーバ７１０を介して上記ユーザ機器に送信することとを実行する。
【０１５５】
図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７２０は、プロセッサ７００による作業時に使用されるデータを記憶できる。
【０１５６】
方法と同様の発明思想に基づき、本発明の実施例は、図８に示すように、少なくとも１つの在圏セルを含む在圏セル集合の、基地局による設定を受信するための在圏セル集合設定受信モジュール８００と、上記在圏セル集合における各在圏セルに対応する第１在圏セルであって、上記在圏セル集合のうちの在圏セルである第１在圏セルの、上記基地局による設定を受信するための第１在圏セル設定受信モジュール８１０と、上記在圏セル集合における各在圏セルに対応する第２在圏セルであって、上記在圏セル集合のうちの在圏セルである第２在圏セルの、上記基地局による設定を受信するための第２在圏セル設定受信モジュール８２０と、第３在圏セルに対応する第１在圏セルにおいて、上記第３在圏セルと自装置との下りデータ伝送をスケジューリングするための下りスケジューリング情報が携帯されている第１物理下り制御チャネルを受信するための下りスケジューリング情報受信モジュール８３０と、上記在圏セル集合のうち自装置との上りデータ伝送と下りデータ伝送が行われる在圏セルである上記第３在圏セルに対応する第２在圏セルにおいて、上記第３在圏セルと自装置との上りデータ伝送をスケジューリングするための上りスケジューリング情報が携帯されている第２物理下り制御チャネルを受信するための上りスケジューリング情報受信モジュール８４０とを含むデータチャネルのスケジューリング装置を更に提供する。
【０１５７】
上記在圏セル集合における各在圏セルに対応する第１在圏セルは、当該在圏セル自体であってもよく、当該在圏セル自体以外の在圏セルであってもよい。
【０１５８】
第１在圏セルは、その対応する在圏セル自体である場合、アンライセンス周波数帯域で動作することが好ましい。
【０１５９】
第１在圏セルは、その対応する在圏セル自体以外の在圏セルである場合、ライセンス周波数帯域で動作してもよい。
【０１６０】
上記のいずれかの実施例に基づき、上記在圏セル集合における各在圏セルに対応する第２在圏セルは、当該在圏セル自体以外の在圏セルであってもよく、当該在圏セル自体であってもよい。
【０１６１】
第２在圏セルは、その対応する在圏セル自体以外の在圏セルである場合、ライセンス周波数帯域で動作することが好ましい。
【０１６２】
第２在圏セルは、その対応する在圏セル自体である場合、アンライセンス周波数帯域で動作してもよい。
【０１６３】
上記のいずれかの実施例に基づき、在圏セル集合における同一在圏セルに対応する第１在圏セルと第２在圏セルとは、同一の在圏セルであってもよく、異なる在圏セルであってもよい。
【０１６４】
上記のいずれかの実施例に基づき、上記在圏セル集合設定受信モジュールは、無線資源制御プロトコルシグナリングにより、在圏セル集合の上記基地局による設定を受信することに用いられることが好ましい。
【０１６５】
上記のいずれかの実施例に基づき、上記第１在圏セル設定受信モジュールは、無線資源制御プロトコルシグナリングにより、上記在圏セル集合における各在圏セルに対応する第１在圏セルの、上記基地局による設定を受信することに用いられることが好ましい。
【０１６６】
上記のいずれかの実施例に基づき、無線資源制御プロトコルシグナリングにより、上記在圏セル集合における各在圏セルに対応する第２在圏セルの、上記基地局による設定を受信することが好ましい。
【０１６７】
方法と同様の発明思想に基づき、本発明の実施例は、図９に示すように、プロセッサ９００と、プロセッサ９００による制御でデータを送受信するためのトランシーバ９１０と、プロセッサ９００の操作実行に使用されるデータを格納するためのメモリ９２０とを含むＵＥを更に提供する。ここで、プロセッサ９００は、メモリ９２０からプログラムを読み出して以下のプロセス、即ち、少なくとも１つの在圏セルを含む在圏セル集合の、基地局による設定をトランシーバ９１０を介して受信することと、上記在圏セル集合における各在圏セルに対応する第１在圏セルであって、上記在圏セル集合のうちの在圏セルである第１在圏セルの、上記基地局による設定をトランシーバ９１０を介して受信することと、上記在圏セル集合における各在圏セルに対応する第２在圏セルであって、上記在圏セル集合のうちの在圏セルである第２在圏セルの、上記基地局による設定をトランシーバ９１０を介して受信することと、第３在圏セルに対応する第１在圏セルにおいて、上記第３在圏セルと自ユーザ機器との下りデータ伝送をスケジューリングするための下りスケジューリング情報が携帯されている第１物理下り制御チャネルをトランシーバ９１０を介して受信することと、上記在圏セル集合のうち自ユーザ機器との上りデータ伝送と下りデータ伝送が行われる在圏セルである上記第３在圏セルに対応する第２在圏セルにおいて、上記第３在圏セルと自ユーザ機器との上りデータ伝送をスケジューリングするための上りスケジューリング情報が携帯されている第２物理下り制御チャネルをトランシーバ９１０を介して受信することとを実行する。
【０１６８】
ここで、図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。ユーザ機器によっては、ユーザインタフェース９３０は、内部接続や外部接続する機器のインタフェースであってもよい。接続する機器は、キーパッド、ディスプレイ、スピーカ、マイクロフォン、ジョイスティックなどを含むが、それらに限られない。
【０１６９】
プロセッサ９００は、バスアーキテクチャと通常の処理を管理する。メモリ９２０は、プロセッサ９００による作業時に使用されるデータを記憶できる。
【０１７０】
方法と同様の発明思想に基づき、本発明の実施例は、基地局とユーザ機器とを含むデータチャネルのスケジューリングシステムを更に提供する。ここで、基地局は、少なくとも１つの在圏セルを含む在圏セル集合を、ユーザ機器に対し設定することと、上記在圏セル集合における各在圏セルに対し、対応する第１在圏セルであって上記在圏セル集合のうちの在圏セルである第１在圏セルを設定することと、上記在圏セル集合における各在圏セルに対し、対応する第２在圏セルであって上記在圏セル集合のうちの在圏セルである第２在圏セルを設定することと、第３在圏セルに対応する第１在圏セルにおいて、上記第３在圏セルと上記ユーザ機器との下りデータ伝送をスケジューリングするための下りスケジューリング情報が携帯されている第１物理下り制御チャネルを上記ユーザ機器に送信することと、上記在圏セル集合のうち上記ユーザ機器との上りデータ伝送と下りデータ伝送が行われる在圏セルである上記第３在圏セルに対応する第２在圏セルにおいて、上記第３在圏セルと上記ユーザ機器との上りデータ伝送をスケジューリングするための上りスケジューリング情報が携帯されている第２物理下り制御チャネルを上記ユーザ機器に送信することに用いられる。ユーザ機器は、在圏セル集合の上記基地局による設定を受信することと、上記在圏セル集合における各在圏セルに対応する第１在圏セルの、上記基地局による設定を受信することと、上記在圏セル集合における各在圏セルに対応する第２在圏セルの、上記基地局による設定を受信することと、上記在圏セル集合における第３在圏セルに対応する第１在圏セルにおいて上記第１物理下り制御チャネルを受信することと、第３在圏セルに対応する第２在圏セルにおいて上記第２物理下り制御チャネルを受信することとに用いられる。
【０１７１】
本発明の実施例は、方法、システム、又はコンピュータプログラムプロダクトとして提供されうると当業者が理解できる。従って、本発明は、完全にハードウェアの実施例、完全にソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１７２】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０１７３】
これらのコンピュータプログラムコマンドは、コンピュータ又は他のプログラマブルデータ処理デバイスに特定の方式で動作を導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１７４】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１７５】
本発明の好適な実施例を記載したが、当業者は、基本的な創造性概念をいったん知ると、これらの実施例に対し別の変更や修正をすることができる。従って、添付の特許請求の範囲は、好適な実施例及び本発明の範囲に入る全ての変更や修正を含むことを意図とする。
【０１７６】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
0006426841.tif 000002
【図２】
0006426841.tif 000003
【図３】
0006426841.tif 000004
【図４】
0006426841.tif 000005
【図５】
0006426841.tif 000006
【図６】
0006426841.tif 000007
【図７】
0006426841.tif 000008
【図８】
0006426841.tif 000009
【図９】
0006426841.tif 000010